(57)【特許請求の範囲】
【請求項１】
ハッシュタグおよびこのハッシュダグに関連付ける商品のＵＲＬを設定する初期設定手段と、
前記ハッシュタグが付されてウェブサイト上に公開された前記商品を含む画像を前記ハッシュタグに基づいて収集する画像収集手段と、
前記ハッシュタグに基づいて収集された画像の中から前記商品と関連付ける画像を設定する画像設定手段と、
前記商品と関連付けられた画像を前記商品のＵＲＬへのリンクとして関連付けるリンク設定手段と
を含むオンラインストア作成装置。
【請求項２】
前記ハッシュタグが付されてウェブサイト上に公開された前記商品を含む画像は、不特定多数のユーザが前記ハッシュタグを付して前記ウェブサイト上に投稿した画像である請求項１記載のオンラインストア作成装置。
【請求項３】
ハッシュタグおよびこのハッシュダグに関連付ける商品のＵＲＬを設定する初期設定手段と、
前記ハッシュタグが付されてウェブサイト上に公開された前記商品を含む画像を前記ハッシュタグに基づいて収集する画像収集手段と、
前記ハッシュタグに基づいて収集された画像の中から前記商品と関連付ける画像を設定する画像設定手段と、
前記商品と関連付けられた画像を前記商品のＵＲＬへのリンクとして関連付けるリンク設定手段と
してコンピュータを機能させるためのオンラインストア作成プログラム。
【請求項４】
ハッシュタグおよびこのハッシュダグに関連付ける商品のＵＲＬをコンピュータに設定すること、
前記コンピュータが、前記ハッシュタグが付されてウェブサイト上に公開された前記商品を含む画像を前記ハッシュタグに基づいて収集すること、
前記ハッシュタグに基づいて収集された画像の中から前記商品と関連付ける画像を前記コンピュータに設定すること、
前記コンピュータが、前記商品と関連付けられた画像を前記商品のＵＲＬへのリンクとして関連付けること
を含むオンラインストア作成方法。
【発明の詳細な説明】
【技術分野】
【０００１】
本発明は、商品を販売するためのオンラインストアを作成するオンラインストア作成装置、オンラインストア作成プログラムおよびオンラインストア作成方法に関する。
【背景技術】
【０００２】
商品を販売するためのオンラインストアを作成するオンラインストア作成サービスが知られている（例えば、非特許文献１，２参照。）。これらのオンラインストア作成サービスでは、多種多様なテンプレートを用いて商品の情報や画像を登録することで、簡単にオンラインストアを作成することが可能となっている。
【先行技術文献】
【非特許文献】
【０００３】
【非特許文献１】“ＢＡＳＥ（ベイス）”，[online]，ＢＡＳＥ株式会社，［平成２７年８月１７日検索，インターネット＜ＵＲＬ：https://thebase.in/＞
【非特許文献２】“ＳＴＯＲＥＳ．ｊｐ”，［online］，株式会社ブラケット，［平成２７年８月１７日検索］，インターネット＜ＵＲＬ：https://stores.jp/＞
【発明の概要】
【発明が解決しようとする課題】
【０００４】
上述のように、従来のオンラインストア作成サービスを利用することで簡単にオンラインストアを作成することは可能である。しかしながら、オンラインストアでは購入者が実物を見ることができないため、商品の画像の見栄えが売上に大きく影響を及ぼすことになるが、商品の画像を見栄え良く撮影することは難しい。
【０００５】
そこで、本発明においては、商品の見栄えの良い画像を容易に設定して簡単にオンラインストアを作成することが可能なオンラインストア作成装置、オンラインストア作成プログラムおよびオンラインストア作成方法を提供することを目的とする。
【課題を解決するための手段】
【０００６】
本発明のオンラインストア作成装置は、ハッシュタグおよびこのハッシュダグに関連付ける商品のＵＲＬを設定する初期設定手段と、ハッシュタグが付されてウェブサイト上に公開された商品を含む画像をハッシュタグに基づいて収集する画像収集手段と、ハッシュタグに基づいて収集された画像の中から商品と関連付ける画像を設定する画像設定手段と、商品と関連付けられた画像を商品のＵＲＬへのリンクとして関連付けるリンク設定手段とを含むものである。
【０００７】
また、本発明のオンラインストア作成方法は、ハッシュタグおよびこのハッシュダグに関連付ける商品のＵＲＬをコンピュータに設定すること、コンピュータが、ハッシュタグが付されてウェブサイト上に公開された商品を含む画像をハッシュタグに基づいて収集すること、ハッシュタグに基づいて収集された画像の中から商品と関連付ける画像をコンピュータに設定すること、コンピュータが、商品と関連付けられた画像を商品のＵＲＬへのリンクとして関連付けることを含むことを特徴とする。
【０００８】
これらの発明によれば、オンラインストア作成者が商品に関連付けるハッシュタグを設定すると、このハッシュタグが付されてウェブサイト上に公開された商品を含む画像がハッシュタグに基づいて自動的に収集される。そして、オンラインストア作成者が、このハッシュタグに基づいて収集された画像の中から商品と関連付ける画像を設定すると、この商品と関連付けられた画像が商品のＵＲＬへのリンクとして関連付けられたオンラインストアが作成される。
【０００９】
ここで、ハッシュタグが付されたウェブサイト上に公開された商品を含む画像は、不特定多数のユーザがハッシュタグを付してウェブサイト上に投稿した画像、より好ましくはその商品の使用状態を示す画像であることが望ましい。これにより、不特定多数のユーザに対して予め商品に関連付けたハッシュタグを通知し、不特定多数のユーザにこのハッシュタグを付した商品を含む画像をウェブサイト上に投稿させ、投稿した画像がその商品のＵＲＬへのリンクとして関連付ける画像として採用された場合に、そのユーザに対して報酬等の特典を付与することも可能となる。
【００１０】
また、本発明のオンラインストア作成プログラムは、ハッシュタグおよびこのハッシュダグに関連付ける商品のＵＲＬを設定する初期設定手段と、ハッシュタグが付されてウェブサイト上に公開された商品を含む画像をハッシュタグに基づいて収集する画像収集手段と、ハッシュタグに基づいて収集された画像の中から商品と関連付ける画像を設定する画像設定手段と、商品と関連付けられた画像を商品のＵＲＬへのリンクとして関連付けるリンク設定手段としてコンピュータを機能させるためのプログラムである。このプログラムを実行したコンピュータによれば、上記本発明のオンラインストア作成装置と同様の作用、効果を奏することができる。
【発明の効果】
【００１１】
（１）ハッシュタグおよびこのハッシュダグに関連付ける商品のＵＲＬを設定し、ハッシュタグが付されてウェブサイト上に公開された商品を含む画像をハッシュタグに基づいて収集し、ハッシュタグに基づいて収集された画像の中から商品と関連付ける画像を設定し、商品と関連付けられた画像を商品のＵＲＬへのリンクとして関連付ける構成により、商品に関連付けるハッシュタグが付されたウェブサイト上に公開された商品を含む画像が自動的に収集され、この収集された画像の中から商品と関連付ける画像を設定するだけで、商品の見栄えの良い画像を容易に設定して簡単にオンラインストアを作成することが可能となる。
【００１２】
（２）ハッシュタグが付されたウェブサイト上に公開された商品を含む画像が、不特定多数のユーザがハッシュタグを付してウェブサイト上に投稿した画像であることにより、不特定多数のユーザが投稿した画像が商品のＵＲＬへのリンクとして関連付ける画像として採用された場合に、そのユーザに対して報酬等の特典を付与することが可能となり、不特定多数のユーザがより良い画像を投稿する意欲を増して、より商品の見栄えの良い画像を設定することが可能となる。
【図面の簡単な説明】
【００１３】
【図１】本発明の実施の形態におけるオンラインストア作成装置のブロック図である。
【図２】初期設定手段によりオンラインストア作成者端末に提供されるハッシュタグ設定のウェブページの例を示す図である。
【図３】画像設定手段によりオンラインストア作成者端末に提供される投稿管理のウェブページの例を示す図である。
【図４】本発明の実施の形態におけるオンラインストア作成装置により作成されたオンラインストアのウェブページの例を示す図である。
【発明を実施するための形態】
【００１４】
図１は本発明の実施の形態におけるオンラインストア作成装置のブロック図である。
図１に示すように、本発明の実施の形態におけるオンラインストア作成装置１は、各種情報を記憶する記憶手段１０と、ハッシュタグおよびこのハッシュダグに関連付ける商品のＵＲＬを設定する初期設定手段１１と、ハッシュタグが付されてウェブサイト上に公開された商品を含む画像をハッシュタグに基づいて収集する画像収集手段１２と、ハッシュタグに基づいて収集された画像の中から商品と関連付ける画像を設定する画像設定手段１３と、商品と関連付けられた画像を商品のＵＲＬへのリンクとして関連付けるリンク設定手段１４とを含む。
【００１５】
オンラインストア作成装置１は、上記各手段１０〜１４としてコンピュータを機能させるためのオンラインストアプログラムを実行するサーバコンピュータにより実現される。オンラインストア作成装置１は、インターネット等の電気通信回線２を通じて、オンラインストアを作成するオンラインストア作成者のパーソナルコンピュータ、携帯電話機や携帯情報端末等のオンラインストア作成者端末３によりアクセス可能となっている。
【００１６】
初期設定手段１１は、販売しようとする商品ごとに予め付与したハッシュタグと、それぞれのハッシュタグに関連付ける商品のＵＲＬを設定する手段である。商品のＵＲＬとは、商品を販売するウェブページのＵＲＬや商品をオンラインカートに入れるためのＵＲＬ等である。初期設定手段１１は、電気通信回線２を通じてオンラインストア作成装置１にアクセスしたオンラインストア作成者端末３に対して、図２に示すハッシュタグ設定のウェブページ２０を提供する。
【００１７】
図２に示すハッシュタグ設定のウェブページ２０には、ハッシュタグを入力するハッシュタグ入力欄２１と、このハッシュタグ入力欄２１に入力したハッシュタグに関連付ける商品のＵＲＬを入力するＵＲＬ入力欄２２とが設けられている。また、本実施形態におけるウェブページ２０には、商品と関連付けられた画像と一緒に表示させるボタンの種類（ボタンタイプ）を選択するボタンタイプ選択欄２３が設けられている。
【００１８】
ハッシュタグは、ハッシュ記号＃と、このハッシュ記号＃に続く文字列とから構成されるラベルである。なお、本実施形態においては、ハッシュタグ入力欄２１にはハッシュ記号＃に続く文字列部分のみ入力する構成であるが、ハッシュ記号＃を含めて入力する構成としても良い。ハッシュタグ入力欄２１およびＵＲＬ入力欄２２に入力された内容は記憶手段１０に記憶される。
【００１９】
画像収集手段１２は、初期設定手段１１により設定されたハッシュタグが付されてウェブサイト上に公開された商品を含む画像をハッシュタグに基づいて収集する手段である。初期設定手段１１により設定したハッシュタグは、予め不特定多数のユーザに対して周知しておき、この不特定多数のユーザが各自のパーソナルコンピュータ、携帯電話機や携帯情報端末等のユーザ端末４から、各ハッシュタグに関連付けられた商品を含む画像、好ましくはその商品の使用状態を示す画像を、各ハッシュタグを付してＴｗｉｔｔｅｒ（商標）、Ｆａｃｅｂｏｏｋ（商標）、Ｉｎｓｔａｇｒａｍ（商標）等のソーシャルネットワーキングサービス（ＳＮＳ）等のウェブサイト上に投稿させるようにする。画像収集手段１２は、このようにハッシュタグが付されてウェブサイト上に公開された商品を含む画像を、初期設定手段１１により設定されたハッシュタグに基づいて収集し、記憶手段１０に記憶する。
【００２０】
画像設定手段１３は、画像収集手段１２によりハッシュタグに基づいて収集された画像の中から商品と関連付ける画像を設定する手段である。画像設定手段１３は、電気通信回線２を通じてオンラインストア作成装置１にアクセスしたオンラインストア作成者端末３に対して、図３に示す投稿管理のウェブページ３０を提供する。
【００２１】
図３に示す投稿管理のウェブページ３０には、画像収集手段１２により収集された画像３１Ａ，３１Ｂ，・・・がハッシュタグごとに整理されて表示されている。オンラインストア作成者は、このウェブページ３０に表示された画像３１Ａ，３１Ｂ，・・・の中から商品と関連付ける画像をそれぞれのＯＮ／ＯＦＦスイッチ３２Ａ，３２Ｂ，・・・により設定する。
【００２２】
リンク設定手段１４は、画像設定手段１３によりそれぞれ商品と関連付けられた画像を、それぞれのハッシュタグに関連付ける商品のＵＲＬへのリンクとして関連付ける手段である。図４はオンラインストア作成装置１により作成されたオンラインストアのウェブページの例を示している。リンク設定手段１４は、画像設定手段１３により商品と関連付けられた画像３１Ａ，３１Ｂ，・・・に対し、前述のボタンタイプ選択欄２３により選択された種類のボタン４１Ａ，４１Ｂをそれぞれ並べて表示し、それぞれのボタン４１Ａ，４１Ｂに前述のＵＲＬ入力欄２２により入力されたＵＲＬへのリンクを設定する。
【００２３】
上記構成のオンラインストア作成装置１によれば、オンラインストア作成者がハッシュタグ設定のウェブページ２０から商品に関連付けるハッシュタグおよびこのハッシュタグに関連付ける商品のＵＲＬを設定すると、このハッシュタグが付されてウェブサイト上に公開された商品を含む画像がハッシュタグに基づいて自動的に収集される。そして、オンラインストア作成者が、投稿管理のウェブページ３０から、ハッシュタグに基づいて収集された画像の中から商品と関連付ける画像を設定すると、この商品と関連付けられた画像が商品のＵＲＬへのリンクとして関連付けられたオンラインストアが作成される。
【００２４】
すなわち、本実施形態におけるオンラインストア作成装置１によれば、商品に関連付けるハッシュタグが付されたウェブサイト上に公開された商品を含む画像が自動的に収集され、この収集された画像の中から商品と関連付ける画像を設定するだけで、商品の見栄えの良い画像を容易に設定して簡単にオンラインストアを作成することが可能となる。
【００２５】
また、本実施形態におけるオンラインストア作成装置１では、不特定多数のユーザに対して予め商品に関連付けたハッシュタグを通知し、不特定多数のユーザにこのハッシュタグを付した商品を含む画像をソーシャルネットワーキングサービス等のウェブサイト上に投稿させるようにしているため、各ユーザが投稿した画像がその商品のＵＲＬへのリンクとして関連付ける画像として採用された場合には、そのユーザに対して報酬等の特典を付与するキャンペーン等を実施することが可能である。これにより、不特定多数のユーザがより良い画像を投稿する意欲を増して、より商品の見栄えの良い画像を設定することが可能となる。
【産業上の利用可能性】
【００２６】
本発明のオンラインストア作成装置、オンラインストア作成プログラムおよびオンラインストア作成方法は、商品を販売するためのオンラインストアを作成する装置、プログラムおよび方法として有用である。
【符号の説明】
【００２７】
１  オンラインストア作成装置
２  電気通信回線
３  オンラインストア作成者端末
４  ユーザ端末
１０  記憶手段
１１  初期設定手段
１２  画像収集手段
１３  画像設定手段
１４  リンク設定手段
【要約】
【課題】商品の見栄えの良い画像を容易に設定して簡単にオンラインストアを作成可能にする。
【解決手段】ハッシュタグおよびこのハッシュダグに関連付ける商品のＵＲＬを設定する初期設定手段１１と、ハッシュタグが付されてウェブサイト上に公開された商品を含む画像をハッシュタグに基づいて収集する画像収集手段１２と、ハッシュタグに基づいて収集された画像の中から商品と関連付ける画像を設定する画像設定手段１３と、商品と関連付けられた画像を商品のＵＲＬへのリンクとして関連付けるリンク設定手段１４とを含むオンラインストア作成装置１である。
【選択図】図１【図１】
0005882526.tif 000002
【図２】
0005882526.tif 000003
【図３】
0005882526.tif 000004
【図４】
0005882526.tif 000005